(57)【要約】【課題】写真を立体的に鑑賞でき、主となる被写体の背景を望むことのできるフォトモニュメントの提供。【解決手段】本考案のフォトモニュメント３０は、光透過性を有する主板材３５Ｔの表面と裏面の少なくとも一方に主体写真３５Ｓが一体化されてなる主表示物３５と、光透過性を有する副板材３１Ｔの表面と裏面の少なくとも一方に背景写真３１Ｓが一体化されてなる少なくとも１つの副表示物３１とが前後に離間して設けられてなり、主表示物３５の主板材３５Ｔが、主体写真３５Ｓの被写体の輪郭形状に合わせて縁取り加工されているか、又は、副表示物３１の副板材３１Ｔが、背景写真３１Ｓの被写体の形状に合わせて縁取り加工されているか、の少なくともいずれかであることを特徴とする。【選択図】図７
0003169352.tif 000002
【実用新案登録請求の範囲】
【請求項１】
光透過性を有する主板材の表面と裏面の少なくとも一方に主体写真が一体化されてなる主表示物と、副板材に奥行きのある被写体を含む遠近感のある背景写真が一体化されてなる少なくとも１つの副表示物とが前後に離間して設けられてなり、
前記主表示物の前記主板材が、前記主体写真の被写体の輪郭形状に合わせて縁取り加工されているか、又は、前記副表示物の前記副板材が、前記背景写真の被写体の形状に合わせて縁取り加工されているか、の少なくともいずれかであり、
前記副表示物が、第１の副板材に奥行きのある被写体を含む遠近感のある背景写真全体が一体化されてなる第１副表示体と、
光透過性を有する第２の副板材の表面と裏面の少なくとも一方に、前記第１副表示体と同じ背景写真の一部が一体化されてなる第２副表示体と、を少なくとも備え、
前記第２副表示体の前記第２の副板材が、一体化された背景写真の奥行きのある被写体の形状に合わせて縁取り加工されており、
前記第２副表示体が、前記第１副表示体の前方に空間をあけて、該第１副表示体の背景写真の奥行きのある被写体の位置を合わせ、且つ、その奥行きのある被写体の一端部と他端部が前後に位置するように該背景写真の遠近感に合わせて該第１副表示体に対して前後に傾斜して配設されており、
前記第２副表示体の縁取り加工された部分の周辺を介して後方に位置する前記第１副表示体が見えることを特徴とするフォトモニュメント。
【請求項２】
前記第２副表示体は、奥行きのある被写体を含む遠近感のある背景写真の遠近感に合わせて、少なくともその一部が該第２副表示体の前方又は後方へ湾曲または折り曲げ加工されてなることを特徴とする請求項１に記載のフォトモニュメント。
【請求項３】
前後に配置された前記主表示物と前記第１副表示体と前記第２副表示体とが、取付手段により薄型の衝立状に一体化されて自立可能とされてなることを特徴とする請求項１または２に記載のフォトモニュメント。
【請求項４】
前記第２副表示体の一部に、その前方から該第２副表示体を透過して後方の前記第１副表示体を透過自在とする透過部が形成されてなることを特徴とする請求項１〜３のいずれか一項に記載のフォトモニュメント。
【請求項５】
前記第２副表示体の前記透過部周縁に前記湾曲または折り曲げ加工された部分が配置され、この透過部の前方に前記主表示物が配置されて、前記第１副表示体と前記第２副表示体と前記主表示物とによる遠近感が表示されてなることを特徴とする請求項４に記載のフォトモニュメント。
【請求項６】
前記第２副表示体の前記透過部周縁の前記湾曲または折り曲げ加工された部分が、前記第１副表示体と前記第２副表示体の間の空間側へと湾曲または折り曲げ加工されてなることを特徴とする請求項５に記載のフォトモニュメント。
【請求項７】
背景写真の奥行きのある被写体が門または扉である請求項１〜６のいずれか一項に記載のフォトモニュメント。
【請求項８】
背景写真の奥行きのある被写体が天井または床である請求項１〜３のいずれか一項に記載のフォトモニュメント。
【請求項９】
背景写真の奥行きのある被写体が座席または通路である請求項１〜３のいずれか一項に記載のフォトモニュメント。
【請求項１０】
少なくとも１つの前記副表示物の下方又は周縁近傍に照明手段を有することを特徴とする請求項１〜９のいずれか一項に記載のフォトモニュメント。
【請求項１１】
光透過性を有する主板材の表面と裏面の少なくとも一方に主体写真が一体化されてなる主表示物と、副板材に奥行きのある被写体を含む遠近感のある背景写真が一体化されてなる少なくとも１つの副表示物とが前後に離間して設けられてなり、
前記主表示物の前記主板材が、前記主体写真の被写体の輪郭形状に合わせて縁取り加工されているか、又は、前記副表示物の前記副板材が、前記背景写真の奥行きのある被写体の形状に合わせて縁取り加工されているか、の少なくともいずれかであり、
前記副表示物が、第１の副板材に奥行きのある被写体を含む遠近感のある背景写真全体が一体化されてなる第１副表示体と、
光透過性を有する第２の副板材の表面と裏面の少なくとも一方に、前記第１副表示体と同じ背景写真の一部が一体化されてなる第２副表示体と、を少なくとも備え、
前記第２副表示体の前記第２の副板材が、一体化された背景写真の奥行きのある被写体の形状に合わせて縁取り加工されており、
前記第２副表示体が、前記第１副表示体の前方に空間をあけて、該第１副表示体の背景写真の奥行きのある被写体の位置を合わせて配設され、
前記第２副表示体の一部に、その前方から該第２副表示体を透過して後方の前記第１副表示体を透過自在とする透過部が形成されていることを特徴とするフォトモニュメント。
【請求項１２】
少なくとも１つの前記副表示物の下方又は周縁近傍に照明手段を有することを特徴とする請求項１１に記載のフォトモニュメント。
【考案の詳細な説明】
【技術分野】
【０００１】
本考案は、写真を立体的に鑑賞できるフォトモニュメントに関する。
【背景技術】
【０００２】
従来、写真を鑑賞するための展示手段として知られている写真立ては、２次元で印刷された写真をそのまま額内に収めるものであり、平面的表面に留まってしまい、立体感がなく面白味に欠けるという問題があった。
この問題を解決するために、複数枚の同じ写真から背景の距離に応じて切り抜かれた各近景部分写真を、複数のパネルを介して前後方向に位置合わせされてフレーム本体内に順次積層した立体写真立てが開示されている（特許文献１参照）。
【先行技術文献】
【特許文献】
【０００３】
【特許文献１】実開平５−８８９９９号公報
【考案の概要】
【考案が解決しようとする課題】
【０００４】
しかしながら、特許文献１に記載の技術では、複数枚の同じ写真から人物等の被写体が写された近景部分、景色等の中間景部分、および遠景部分が切り抜かれて積層されるため、人物等の被写体と重なる部分の背景を望むことができないという問題があった。また、特許文献１に記載の技術では、立体写真立てのフレーム本体内という狭い空間での展示であるので、多少の立体感はあるものの、さらなる立体感を演出することが望まれる。
【０００５】
本考案は、このような従来の実情に鑑みてなされたものであり、写真を立体的に鑑賞でき、主となる被写体の背景を望むことのできるフォトモニュメントを提供することを目的とする。
【課題を解決するための手段】
【０００６】
上記課題を解決するため、本考案のフォトモニュメントは、光透過性を有する主板材の表面と裏面の少なくとも一方に主体写真が一体化されてなる主表示物と、副板材に奥行きのある被写体を含む遠近感のある背景写真が一体化されてなる少なくとも１つの副表示物とが前後に離間して設けられてなり、前記主表示物の前記主板材が、前記主体写真の被写体の輪郭形状に合わせて縁取り加工されているか、又は、前記副表示物の前記副板材が、前記背景写真の被写体の形状に合わせて縁取り加工されているか、の少なくともいずれかであり、
前記副表示物が、第１の副板材に奥行きのある被写体を含む遠近感のある背景写真全体が一体化されてなる第１副表示体と、
光透過性を有する第２の副板材の表面と裏面の少なくとも一方に、前記第１副表示体と同じ背景写真の一部が一体化されてなる第２副表示体と、を少なくとも備え、
前記第２副表示体の前記第２の副板材が、一体化された背景写真の奥行きのある被写体の形状に合わせて縁取り加工されており、
前記第２副表示体が、前記第１副表示体の前方に空間をあけて、該第１副表示体の背景写真の奥行きのある被写体の位置を合わせ、且つ、その奥行きのある被写体の一端部と他端部が前後に位置するように該背景写真の遠近感に合わせて該第１副表示体に対して前後に傾斜して配設されており、前記第２副表示体の縁取り加工された部分の周辺を介して後方に位置する前記第１副表示体が見えることを特徴とする。
本考案のフォトモニュメントにおいて、前記第２副表示体は、奥行きのある被写体を含む遠近感のある背景写真の遠近感に合わせて、少なくともその一部が該第２副表示体の前方又は後方へ湾曲または折り曲げ加工されてなることが好ましい。
前後に配置された前記主表示物と前記第１副表示体と前記第２副表示体とが、取付手段により薄型の衝立状に一体化されて自立可能とされてなることも好ましい。
前記第２副表示体の一部に、その前方から該第２副表示体を透過して後方の前記第１副表示体を透過自在とする透過部が形成されてなることも好ましい。
前記第２副表示体の前記透過部周縁に前記湾曲または折り曲げ加工された部分が配置され、この透過部の前方に前記主表示物が配置されて、前記第１副表示体と前記第２副表示体と前記主表示物とによる遠近感が表示されてなることも好ましい。
前記第２副表示体の前記透過部周縁の前記湾曲または折り曲げ加工された部分が、前記第１副表示体と前記第２副表示体の間の空間側へと湾曲または折り曲げ加工されてなることも好ましい。
本考案のフォトモニュメントにおいて、背景写真の奥行きのある被写体が門または扉であることもできる。
本考案のフォトモニュメントにおいて、背景写真の奥行きのある被写体が天井または床であることもできる。
本考案のフォトモニュメントにおいて、背景写真の奥行きのある被写体が座席または通路であることもできる。
本考案のフォトモニュメントにおいて、少なくとも１つの前記副表示物の下方又は周縁近傍に照明手段を有することも好ましい。
【０００７】
また、本考案のフォトモニュメントは、光透過性を有する主板材の表面と裏面の少なくとも一方に主体写真が一体化されてなる主表示物と、副板材に奥行きのある被写体を含む遠近感のある背景写真が一体化されてなる少なくとも１つの副表示物とが前後に離間して設けられてなり、
前記主表示物の前記主板材が、前記主体写真の被写体の輪郭形状に合わせて縁取り加工されているか、又は、前記副表示物の前記副板材が、前記背景写真の奥行きのある被写体の形状に合わせて縁取り加工されているか、の少なくともいずれかであり、
前記副表示物が、第１の副板材に奥行きのある被写体を含む遠近感のある背景写真全体が一体化されてなる第１副表示体と、
光透過性を有する第２の副板材の表面と裏面の少なくとも一方に、前記第１副表示体と同じ背景写真の一部が一体化されてなる第２副表示体と、を少なくとも備え、
前記第２副表示体の前記第２の副板材が、一体化された背景写真の奥行きのある被写体の形状に合わせて縁取り加工されており、
前記第２副表示体が、前記第１副表示体の前方に空間をあけて、該第１副表示体の背景写真の奥行きのある被写体の位置を合わせて配設され、
前記第２副表示体の一部に、その前方から該第２副表示体を透過して後方の前記第１副表示体を透過自在とする透過部が形成されていることを特徴とする。
本考案のフォトモニュメントにおいて、少なくとも１つの前記副表示物の下方又は周縁近傍に照明手段を有することも好ましい。
【考案の効果】
【０００８】
本考案のフォトモニュメントは、光透過性を有する主板材と主体写真を一体化した主表示物の後方に離間して、光透過性を有する板材副と背景写真を一体化した副表示物を設け、かつ、主表示物が縁取り加工されるか、又は副表示物が縁取り加工されるか、の少なくともいずれかの構成としたことにより、主体写真と背景写真とで構成される写真全体に立体感を与えることができる。また、従来の写真では平面的な表現に留まり、主となる被写体と重なる部分の背景を望むことができない問題があったが、本考案のフォトモニュメントによれば、主表示物の後方に位置する副表示物全体を望むことが可能となる。
本考案のフォトモニュメントにおいて、主板材が主体写真の被写体の輪郭の形状に合わせて加工される構成とすることにより、主となる被写体の写真に立体感を与えることができる。
【０００９】
本考案のフォトモニュメントにおいて、背景写真全体が副板材に一体化された第１副表示体の前方に、この背景写真と同じ写真の一部を模った第２副表示体を、背景写真の被写体の位置に合わせて設置する構成とすることにより、背景写真に奥行きを与え、立体感をさらに高めることができる。
また、本考案のフォトモニュメントは、照明手段を設けることにより、主表示物及び副表示物の輪郭を光らせてより立体感を高め、インテリア性も向上させることができる。
さらに、本考案のフォトモニュメントにおいて、前記第２副表示体の少なくともその一部が、湾曲または折り曲げ加工される構成とするならば、より立体感およびインテリア性を向上させることができる。また、このように加工された第２副表示体と照明手段を備える構成とすることにより、光と影のコントラストにより、さらに鑑賞性を高めることができる。
【００１０】
本考案のフォトモニュメントにおいて、第２副表示体の一部に、その前方から後方の第１副表示体を透過自在とする透過部が形成され、この透過部周縁に前記湾曲または折り曲げ加工された部分が配置され、この透過部の前方に主表示物が配置されてる構成とすることにより、前記第１副表示体と前記第２副表示体と前記主表示物とによる奥行きを生み出し、遠近感をさらに向上させることができる。
また、本考案のフォトモニュメントにおいて、前後に配置された主表示物と第１副表示体と第２副表示体とが、取付手段により薄型の衝立状に一体化される構成とすることにより、自立可能とすることができる。
【図面の簡単な説明】
【００１１】
【図１】本考案の第１参考形態に係るフォトモニュメントの一例を示す斜視図である。
【図２】本考案の第１参考形態に係るフォトモニュメントが照明手段を有する場合の一例を示す模式図である。
【図３】本考案の第１参考形態に係るフォトモニュメントの主表示物について説明するための図である。
【図４】本考案の第１参考形態に係るフォトモニュメントの基台の他の例を示す模式図である。
【図５】本考案の第２参考形態に係るフォトモニュメントの一例を示す斜視図である。
【図６】本考案の第２参考形態に係るフォトモニュメントが照明手段を有する場合の一例を示す模式図であり、図６（ａ）は正面図、図６（ｂ）は斜視図である。
【図７】本考案の第１実施形態に係るフォトモニュメントの一例を示す斜視図である。
【図８】図７に示すフォトモニュメントの分解斜視図である。
【図９】図９（ａ）は図７に示すフォトモニュメントの上面図であり、図９（ｂ）は図７に示すフォトモニュメントの側面図である。
【図１０】図７に示すフォトモニュメントが照明手段を有する場合の一例を示す斜視図である。
【図１１】本考案の第２実施形態に係るフォトモニュメントの一例を示す斜視図である。
【図１２】図１１に示すフォトモニュメントの一部の分解斜視図である。
【図１３】は本考案の第３実施形態に係るフォトモニュメントの一例を示す斜視図である。
【図１４】図１４（ａ）は図１３に示すフォトモニュメントの側面図であり、図１４（ｂ）は図１３に示すフォトモニュメントの変形例を示す側面図である。
【考案を実施するための形態】
【００１２】
以下、本考案の参考の形態と実施の形態について、図面に基づいて説明する。
（第１参考形態）
図１は本考案の第１参考形態に係るフォトモニュメント１０の一例を示す模式図である。
本参考形態のフォトモニュメント１０は、基台１と、基台１上に取付手段により前後に離間して設けられた主表示物２と副表示物３とより構成されている。
基台１の形状及び基台１を構成する材料は特に限定されるものではなく、取付手段により基台１上に主表示物２及び副表示物３を設置することができる形状及び構成であればよい。また、基台１は、図１に示す如く、その表面に模様や図柄などの装飾１ｂが施されていてもよい。基台１へ模様や図柄などの装飾１ｂを施す方法としては、特に限定されず、例えば、基台１への直接印刷、模様等の貼り付け、基台１への切削加工など、従来公知の方法を用いることができる。
【００１３】
主表示物２の例として、図３（ａ）及び図３（ｂ）に主表示物２ａ及び主表示物２ｂを示す。主表示物２ａは、図３（ａ）に示す如く、主板材２Ｔの表面に、主体写真２Ｓａが一体化されて構成されている。主板材２Ｔは、光透過性を有する材料で構成されていることが好ましく、例えば、アクリル等の透明樹脂やガラス等を挙げることができる。主体写真２Ｓａを主板材２Ｔと一体化する方法としては、主板材１Ｔに直接印刷を行う方法（ダイレクト印刷）や、写真紙や光透過性の樹脂シート等に印刷された主体写真２Ｓａを接着剤等により主板材２Ｔに貼り付ける方法等を挙げることができる。図１及び図３（ａ）に示すように、主表示物２を構成する主板材２Ｔは、主体写真２Ｓａの被写体（図１及び図３（ａ）では着物を着た女性）の輪郭形状に合わせて縁取り加工されている。このように主板材２Ｔを、その表面に一体化された主体写真２Ｓａの被写体の輪郭形状に切り抜き加工（縁取り加工）することにより、主表示物２の立体感が生まれる。主板材２Ｔの厚さは、特に限定されるものではなく、適宜変更可能であるが、主表示物２の立体感が向上するため、０．１〜１００ｍｍとすることが好ましく、０．２〜１００ｍｍとすることがより好ましい。
【００１４】
主表示物２は、図３（ｂ）に示す如く、主板材２Ｔの裏面に、主体写真２Ｓｂが一体化された主表示物２ｂであってもよい。主体写真２Ｓｂを主板材２Ｔへ一体化する方法としては、上記主表示物２ａの場合と同様の方法が挙げられる。このように、透明性を有する主板材２Ｔの裏面に主体写真２Ｓｂを一体化させ、かつ、主板材２Ｔを主体写真２Ｓｂの被写体の輪郭形状に切り抜き加工（縁取り加工）することにより、主表示物２は透明な主板材２Ｔを通して前から見ると、主体写真２Ｓｂの被写体が浮き上がったように見え、主表示物２の立体感をより一層引き出すことができる。また、主表示物２ｂは、その側面からも透明な主板材２Ｔを通して裏面に設けられた主体写真２Ｓｂを見ることができるため、斜め方向から見た場合にも立体感を演出することができる。
【００１５】
副表示物３は、主表示物２と同様に、光透過性を有する副板材３Ｔの表面と裏面の少なくとも一方（図１に示す例では表面）に背景写真３Ｓが一体化されて構成されている。副板材３Ｔの構成は、主板材２Ｔと同様とすることができ、副板材３Ｔへ背景写真３Ｓを一体化する方法についても主表示物２の場合と同様である。副表示物３において、副板材３Ｔは、その表面と裏面の少なくとも一方に一体化された背景写真３Ｓの形状に合わせて加工（縁取り加工）されていることが好ましい。副板材３Ｔへの加工は、図１に示すように、背景写真３Ｓの被写体の輪郭に合わせて切り抜き加工（縁取り加工）されていても良いし、例えば、背景写真３Ｓが建物の写真であれば、窓の部分のみを切り抜くように加工（縁取り加工）しても良く、背景写真３Ｓが風景写真の場合は、建物や自然物の上面のみを縁取り加工することも可能であり、適宜調整することができる。
【００１６】
本参考形態のフォトモニュメント１０において、基台１上に主表示物２及副表示物３を設置するための取付手段としては、特に限定されるものではないが、図１に示す如く、凹凸嵌合であることが好ましい。図１に示す例では、基台１の上面の前後に離間した２箇所に凹部４、４が設けられ、主表示物２の下面と副表示物３の下面には凸部５、５が設けられている。図１（ａ）及び図１（ｂ）に示す如く、基台１の上面の前方に設けられた凹部４に主表示物２の下面に設けられた凸部５を嵌入させ、基台１の上面の後方に設けられた凹部４に副表示物３の下面に設けられた凸部５を嵌入させることにより、基台１の上面の前方に主表示物２を、基台１の上面の後方に副表示物３を、前後に離間して設置することができる。
【００１７】
取付手段は着脱可能であることが好ましく、図１に示す例の凹凸嵌合の場合は、凹部４と凸部５の形状、サイズを適宜調整することにより着脱可能とすることができる。取付手段を着脱可能（着脱自在）とすることにより、主表示物２はそのままで、副表示物３を他の風景写真を模ったものに取り替えることなどが可能となり、基台１、主表示物２及び副表示物３の組み合わせのバリエーションを自由に楽しむことができる。
【００１８】
本参考形態のフォトモニュメント１０は、基台１の下部または周縁近傍に照明手段を有することが好ましい。フォトモニュメント１０が照明手段を有する場合は、照明手段より照射された光が主表示物２及び副表示物３へと届くように、基台１は光透過性を有する材料で構成されていることが好ましい。基台１を構成する光透過性を有する材料としては、アクリル等の樹脂やガラス等を挙げることができる。フォトモニュメント１０が照明手段を有する場合、基台１の光透過性の度合い（透明性の度合い）は、基台１の下部又は周縁近傍に設けられた照明手段からの光が透過すれば特に限定されるものではなく、基台１の表面に模様や図柄が施されている場合は、透明性を高くすることもでき、また、基台１が模様等を有さない場合は、基台１を半透明として照明手段が基台１の上面から見えすぎてしまうことを防ぐことも可能である。
照射手段としては、光を照射することができるものであれば特に限定されず、例えば、ＬＥＤ（Light Emitting Diode：発光ダイオード）を複数テープ状の基材に並べた構造などを挙げることができる。また、照射手段より照射される光の色合いも特に限定されず、適宜変更することができる。
【００１９】
照明手段６の設置位置は、基台１の下部又は周縁近傍であれば特に限定されず、例えば、図２に示す如く、主表示物２の下方や、副表示物２の下方となる位置に設置することができる。このように、主表示物２と副表示物３の下方に照明手段６を位置させることにより、図２に示す如く、照射手段６から照射された光の一部が主表示物２及び副表示物３にその下部より導入され、光透過性を有する主板材２Ｔ及び副板材３Ｔ中で散乱して、主表示物２及び副表示物３の輪郭を光らせることができ、主表示物２及び副表示物３の立体感を高めるとともに、その印象を変化させて、インテリア性をより高めることができる。なお、図２においては、主表示物２の下方及び副表示物３の下方の２箇所に照明手段６を設置した例を示しているが、本考案はこれに限定されず、主表示物２の下方のみに照明手段６を設置してもよいし、基台１の周縁を含めて３箇所以上に照明手段６を設置してもよい。
【００２０】
また、フォトモニュメント１０が照明手段６を有する場合、図３（ｃ）及び図３（ｄ）に示す如く、主表示物２の表面に主体写真２Ｓａが一体化されている場合と、主表示物２の裏面に主体写真２Ｓｂが一体化されている場合とでは、照明点灯時の主表示物２の見え方が異なる。
図３（ｃ）に示すように、その表面に主体写真２Ｓａが一体化されている主表示物２ａの場合、主表示物２ａの下方の照明手段６を点灯すると、光は主体写真２Ｓａの裏側に位置する光透過性の主板材２Ｔ中で散乱し、結果として、主体写真２Ｓａの後方で、その輪郭から光が漏れ出し、後光が差して輪郭が浮かび上がっているように見える。これに対し、図３（ｄ）に示すように、その裏面に主体写真２Ｓｂが一体化されている主表示物２ｂの場合、主表示物２ｂの下方の照明手段６を点灯すると、光は主体写真２Ｓｂの前方に位置する光透過性の主板材２Ｔ中で散乱し、結果として、主体写真２Ｓｂの全面および輪郭が光っているように見える。この様に、主表示物２への主体写真の設置位置を適宜調整することにより、見え方を変化させることができる。なお、副表示物３についても同様の手法により、見え方を変化させることができる。
【００２１】
図１においては、フォトモニュメント１０の基台１の表面に模様や図柄などの装飾１ｂが施されている場合を例示しているが、本参考形態のフォトモニュメント１０の基台１は、その表面と裏面の両面に模様や図柄などの装飾１ｂが施されていても良い。この場合、例えば、図４（ｂ）に示すように、透明な基台１ａの表面の装飾１ｂに加えて、基台１ａの裏面に施された装飾１ｃが表側に透けて見える構成とする方が、より複雑な装飾とすることができ、インテリア性を高めることができる。基台１ａの両面に装飾１ｂ及び装飾１ｃを施す方法は特に限定されず、従来公知の方法を用いることができ、図４（ａ）に示すように、シート状物に施された装飾１ｂ及び装飾１ｃを、そのシートごと基台１ａに接着させてもよいし、基台１ａの表面及び裏面に直接印刷（ダイレクト印刷）を行っても良く、これらの方法を組み合わせてもよい。
【００２２】
また、本参考形態のフォトモニュメント１０の基台１は、図１に示す如く板状等のシンプルな形状でもよいし、図２に示す如く照明手段６を有する場合は、基台１の下部又は周縁付近に照明手段６を設置することができるように、その鉛直方向の厚みを高くし、基台１の下方に照明手段６の設置場所となる凹部形状等の内部空間を有する形状でもよい。さらに、図４（ｂ）に示す如く、基台１の周縁部の全部又は一部に（図４（ｂ）では四隅）、基台１を支持する支持部７を設けて、支持部７と基台１の下面とで形成された空間に照明手段６を設ける構成としてもよい。
【００２３】
本参考形態のフォトモニュメント１０は、主表示物２が光透過性を有する主板材２Ｔに、主体写真が一体化されており、かつ、主板材２Ｔが主体写真の被写体の輪郭の形状に合わせて縁取り加工されていることにより、主となる被写体の写真に立体感を与えることができる。また、副表示物３が、光透過性を有する副板材３Ｔに背景写真が一体化されて構成され、かつ、基台１上に主表示物２よりも後方に離間して設置されることにより、従来の写真では平面的な表現に留まり、主となる被写体と重なる部分の背景を望むことができない問題があったが、本参考形態のフォトモニュメント１０によれば、主表示物２の後方に位置する副表示物３全体を望むことが可能となる。さらに、本参考形態のフォトモニュメント１０では、照明手段６を設けることにより、主表示物２及び副表示物３の輪郭を光らせてより立体感を高め、インテリア性も向上させることができる。また、基台１上に前後に間隔をあけて主表示物２と副表示物３が配置されており、これらを図１および図２に示す如く斜め上方から鑑賞することになるので、従来技術のように重ねた写真を箱の内部に納めたものを外部から鑑賞するのとは異なり、主表示物２および副表示物３の立体感と前後遠近感を知覚しながら、基台１の装飾１ｂも含めて立体感を知覚することができ、極めて高い鑑賞性を発揮することができる。その上、照明手段６による照明光の立体表示効果を奏することで、より一層鑑賞効果を高めることができる。
【００２４】
（第２参考形態）
次に、本考案のフォトモニュメントの第２参考形態について図５及び図６を用いて説明する。
図５及び図６において、上記第１参考形態と同じ構成要素には同一の符号を付し、説明を省略する。
図５に示すように、本参考形態のフォトモニュメント２０は、第１参考形態のフォトモニュメント１０の構成に加えて、２つの副表示物３ａ、３ｂを有し、さらに、基台１上には複数（図５では１５個）の凹部４が設けられている。また、基台１の後方には背景パネル１７が設けられている。
このような構成のフォトモニュメント２０では、副表示物３ａ、３ｂは、背景パネル１７と主表示物２との中間に位置する景色（以下、「中間景」と称する。）の輪郭またはその形状の一部に合わせて縁取り加工された副板材３Ｔに中間景の写真が一体化されて構成される。背景パネル１７の構成は、上記した副表示物３と同様とすることができ、その一部及び輪郭に縁取り加工が施されていることが好ましい。
図５及び図６に示す本参考形態の一例において、主表示物２は教会にて結婚式を挙行した洋装の夫婦の主体写真２Ｓｃの輪部を模ったもの、２つの副表示物３ａ、３ｂは式場にて夫婦を祝福する群集の写真３Ｓａ、３Ｓｂを模ったもの、背景パネル１７は教会の建物内部の背景写真１７Ｓａの形状の一部を模ったものである。
【００２５】
背景パネル１７と、副表示物３ａ、３ｂ、及び主表示物２とは、実際の撮影現場の最遠景、中間景（及び近景）、主となる被写体にそれぞれ対応させても良いし、それぞれ別の場所で撮影した景色及び主となる被写体を適宜組み合わせて楽しむこともできる。背景パネル１７、副表示物３ａ、３ｂ、主表示物２が、同一の撮影場所である場合は、背景パネル１７となる最遠景、副表示物３ａ、３ｂとなる中間景（及び近景）、主表示物２となる主被写体の写真を、それぞれ別々に撮影し、これらの写真より背景パネル１７、副表示物３ａ、３ｂ及び主表示物２を作製すればよい。このような構成のフォトモニュメント２０とすることにより、従来の写真では、平面的な表現に留まり、主となる被写体と重なる背景部分を望むことは不可能であったが、本参考形態のフォトモニュメント２０では、主表示物２の後ろの背景部分である副表示物３ａ、３ｂ及び景色（背景パネル）１７全体を望むことができる。
【００２６】
また、本参考形態のフォトモニュメント２０は、基台１の表面に凹凸嵌合の取付手段の一方側となる複数の凹部が設けられている。図５に示す例では、基台１の表面の中央部には、７個の凹部４ａ、４ｂ、４ｃ、４ｄ、４ｅ、４ｆ、４ｇが設けられており、これにより、主表示物２の下面に設けられた凸部５を凹部４ａ〜４ｇのうちのいずれかに嵌入することにより、所望の位置に主表示物２を設置することができる。また、これらの凸部５及び凹部４ａ〜４ｇとの嵌合による取り付けは着脱可能であるため、基台１上への主表示物２の設置位置を自由に変更することができる。また、副表示物３ａについても同様に、基台１上に設けられた複数の凹部４ｐ、４ｑ、４ｒ、４ｓのうちのいずれかに、副表示物３ａの下面に設けられた凸部５を嵌合させることにより、所望の位置に副表示物３ａを設置することができる。副表示物３ｂについても同様であり、例えば、副表示物３ａが中間景であり、副表示物３ｂが近景である場合には、副表示物３ｂを副表示物３ａよりも前方に位置させるなどし、自由にその配置を変更することができる。
【００２７】
なお、本参考形態のフォトモニュメント２０では、取付手段は着脱可能な凹凸嵌合が好ましく、基台１に複数の凹部が設けられていることが好ましい。基台１の表面に複数の凹部が設けられていることにより、主表示物２及び副表示物３ａ、３ｂの設置に関与しない凹部が目立たないためである。基台１上に主表示物２及び副表示物３ａ、３ｂの総数よりも多数の凸部を設けてしまうと、基台１表面で主表示物２及び副表示物３ａ、３ｂの設置に関与しない凸部が目立ってしまい、インテリア性が損なわれる虞がある。
【００２８】
背景パネル１７は、図５に示す例では、基台１の後方に立設されているが、背景パネル１７の設置方法はこれに限定されず、基台１の後部の側面に一体に取り付けられていてもよく、また、背景パネル１７の下面に凸部を設けて、基台１の表面上の最後部に位置する凹部と嵌合させることにより取り付けられていても良い。
【００２９】
また、本参考形態のフォトモニュメント２０は、上記第１参考形態のフォトモニュメント１０と同様に、照明手段を有していることが好ましい。照明手段の設置位置は特に限定されないが、基台１の下部又は周縁近傍に設置されていることが好ましい。照明手段の設置位置としては、具体的には、例えば、第１参考形態の場合と同様に主表示物２及び副表示物３ａ、３ｂの下方であっても良いし、図６に示す如く、基台１の周縁の前面及び後面に照明手段６ａ、６ｂが取り付けられていても良い。基台１の周縁の前面及び後面に照明手段６ａ、６ｂを設置することにより、照明手段６ａ、６ｂより照射された光が、基台１に設けられた複数の凹部を介して主表示物２の下面に設けられた凸部５、および、副表示物３ａ、３ｂの下面に設けられた凸部５より、主表示物２及び副表示物３ａ、３ｂへと導入されて、主表示物２及び副表示物３ａ、３ｂの輪郭が光って見えるようになる。これにより、図６（ａ）に示す如く、正面から見た場合は、主表示物２と副表示物３ａ、３ｂの輪郭が光って見え、立体感とインテリア性をより向上させることができる。また、図６（ｂ）に示す如く、斜め方向から見た場合は、主表示物２の後ろに位置する副表示物３ａ、３ｂ全体を望むことができる効果に加えて、輪郭が光ることにより、立体感とインテリア性が一層向上して見える。
【００３０】
本参考形態のフォトモニュメント２０は、第１参考形態のフォトモニュメント１０の効果に加えて、基台１の表面に複数の凹部を設けたことにより、主表示物２及び副表示物３ａ、３ｂの配置を自由に変更可能となる。また、複数の副表示物３ａ、３ｂを設けたことにより、中間景や近景の写真も組み合わせて、より豊かな表現が可能となる。さらに、背景パネル１７を設け、主表示物２、副表示物３ａ、３ｂとの組み合わせや配置を自由に変更することにより、様々な景色や配置で主となる被写体である主表示物２を設置して楽しむことができる。
【００３１】
本考案のフォトモニュメントは、上記第１参考形態及び第２参考形態に限定されず、種々の変更を加えることも可能である。
例えば、上記第１および第２参考形態では、副表示物は１つまたは２つであったが、３つ以上とすることも可能である。また、基台１の形状も、四角形の板状に限定されず、円形、楕円形、三角形、不定形等、適宜変更することができる。さらに、取付手段としては、上記参考形態で説明した凹凸嵌合だけでなく、上記第１及び第２参考形態とは嵌合構造が逆のパターンとなるように基材上に凸部が設けられた凹凸嵌合であってもよく、磁石等の着脱手段でもよい。なお、上記参考形態においては、着脱可能な取付手段について例示したが、基材上に主表示物および／または副表示物が接着や固着などの手段により立設されることも可能である。
【００３２】
（第１実施形態）
図７は本考案の第１実施形態に係るフォトモニュメントの一例を示す斜視図であり、図８は図７に示すフォトモニュメントの分解斜視図であり、図９（ａ）は図７に示すフォトモニュメントの上面図であり、図９（ｂ）は図７に示すフォトモニュメントの側面図である。
図７〜図９に示す本実施形態のフォトモニュメント３０は、最後部に設けられた第１副表示体３１と、第１副表示体３１の前方に設けられた第２副表示体３２と、第２副表示体３２の前方に設けられた第３副表示体３３と、第３副表示体３３の上方に設けられた第４副表示体３４と、第３副表示体３３の上方且つ第４副表示体３４の前方に設けられた主表示物３５とより構成されている。
【００３３】
主表示物３５は、前述の第１参考形態のフォトモニュメント１０の主表示物２と同様の構成とすることができ、光透過性を有する主板材３５Ｔの表面と裏面の少なくとも一方（図７及び図８に示す例では表面）に主体写真３５Ｓが一体化され、主体写真３５Ｓ（図７及び図８に示す例では洋装の女性)の輪郭形状に合わせて主板材３５Ｔが縁取り加工されている。
【００３４】
フォトモニュメント３０は、副表示物として第１副表示体３１、第２副表示体３２、第３副表示体３３、第４副表示体３４を備える。
最後部に配された第１副表示体３１は、光透過性を有する平板状の第１の副板材３１Ｔの表面と裏面の少なくとも一方（図７及び図８に示す例では表面）に、背景写真３１Ｓ全体が一体化されて構成されている。第２副表示体３２は、光透過性を有する第２の副板材３２Ｔの表面と裏面の少なくとも一方（図７及び図８に示す例では表面）に、第１副表示体３１に一体化された背景写真３１Ｓと同じ写真の一部である写真３２Ｓ（図７及び図８に示す例では、扉が開かれた状態の門）が一体化され、写真３２Ｓの輪郭形状に合わせて第２の副板材３２Ｔが縁取り加工されている。第３副表示体３３は、光透過性を有する第３の副板材３３Ｔの表面と裏面の少なくとも一方（図７及び図８に示す例では表面）に、第１副表示体３１に一体化された背景写真３１Ｓと同じ写真の一部である写真３３Ｓ（図７及び図８に示す例では、床）が一体化され、写真３３Ｓの形状に合わせて縁取り加工されている。第４副表示体３４は、光透過性を有する第４の副板材３４Ｔの表面と裏面の少なくとも一方（図７及び図８に示す例では表面）に、所望の写真３４Ｓを一体化し、写真３４Ｓの被写体（図７及び図８に示す例では花で装飾されたウェルカムボード（掲示物））の輪郭形状に合わせて第４の副板材３４Ｔが縁取り加工されている。
【００３５】
第１副表示体３１、第２副表示体３２、第３副表示体３３、第４副表示体３４を構成する第１〜第４の副板材３１Ｔ、３２Ｔ、３３Ｔ、３４Ｔの材質は、前記第１参考形態の主板材２Ｔおよび副板材３Ｔと同様であり、第１〜第４の副板材３１Ｔ、３２Ｔ、３３Ｔ、３４Ｔへ夫々、背景写真３１Ｓ、写真３２Ｓ、写真３３Ｓ、写真３４Ｓを一体化する方法についても、前記第１参考形態の主表示物２の場合と同様である。
【００３６】
第２副表示体３２は、第１副表示体３１の前方に、第１副表示体３１に一体化された背景写真３１Ｓと被写体の位置を合わせて配置されており、図７に示す例では、第１副表示体３１に一体化された背景写真３１Ｓの門の位置の前方に、この門を模った第２副表示体３２が位置するように配置されている。このように第２副表示体３２を、第１副表示体３１の前方に背景写真３１Ｓの被写体の位置に合わせて配置することにより、第２副表示体３２に一体化された写真３２Ｓに立体感を与えることができる。
第２副表示体３２には、その前方から第２副表示体３２を透過して後方の第１副表示体３１を透過自在とする透過部３２Ｍが形成されている。透過部３２Ｍは、図７に示す如く、第２副表示体３２に一体化された写真３２Ｓの形状（図７に示す例では、門下の空間形状）に合わせて切り抜き加工されていてもよく、後方の第１副表示体３１を透過可能であれば、写真３２の一部のみが切り抜かれており、第２の副板材３２Ｔの光透過性により後方の第１副表示体３１を透過可能とされていてもよい。このように、第２副表示体３２の一部に透過部Ｍを形成することにより、第２副表示体３２の前方から透過部３２Ｍを介して後方の第１副表示体３１を望むことができるため、背景写真３１Ｓの写真３２Ｓ部分に奥行きを生み出し、背景写真の立体感をより高めることができる。
【００３７】
また、第２副表示体３２は、図９（ａ）及び図９（ｂ）に示す如く、第２副表示体３２の一端部３２Ｐよりも第２副表示体３２の他端部３２Ｑが前方に位置するように、全体的に湾曲加工されている。第２副表示体３２を湾曲加工する方法は、樹脂製やガラス製の板材を湾曲加工するのに通常用いられる手法を適用でき、例えば、第２の副板材３２Ｔと写真３２Ｓを一体化して縁取り加工した後、加熱および外力負荷により第２副表示体３２を湾曲加工すればよい。このように第２副表示体３２を湾曲加工することにより、第１副表示体３１と第２副表示体３２の一端部３２Ｐおよび他端部３２Ｑとの距離が夫々異なるため、フォトモニュメント３０を一方（一端部３２Ｐ側）から見た場合と、他方（他端部３２Ｑ側）から見た場合で、その見え方や立体感が変化し、よりインテリア性を高めることができる。また、後述の如く、フォトモニュメント３０が照明手段を有する場合、第２副表示体３２が湾曲加工されていることにより、光と影のコントラストが生まれ、立体感とインテリア性を一層向上させることができる。
【００３８】
さらに、第２副表示体３２は、第２副表示体３２に一体化された門の写真３２Ｓのうち、透過部３２Ｍの周縁に位置する扉部分３２Ａ、３２Ｂが、背景写真３１Ｓにおいて開かれた状態にある扉の遠近感に合わせて、後方（第１副表示体３１側）へと折り曲げ加工されている（図９（ａ）及び図９（ｂ））。第２副表示体３２を折り曲げ加工する方法は、樹脂製やガラス製の板材を折り曲げ加工するのに通常用いられる手法を適用でき、例えば、第２の副板材３２Ｔと写真３２Ｓを一体化して縁取り加工した後、加熱および外力負荷により第２副表示体３２を折り曲げ加工してもよいし、扉３２Ａ、３２Ｂに対応する部分を機械的に切断して所望の折り曲げ位置に設定した後、通常の手法で接着や固着してもよい。このように、第２副表示体３２が背景写真３１Ｓの遠近感に合わせて折り曲げ加工されていることにより、背景写真をより立体的に表現することができる。
【００３９】
第３副表示体３３は、第１副表示体３１及び第２副表示体３２の前方に、背景写真３１Ｓの被写体の位置に合わせて配置されており、図７〜図９に示す例では、背景写真３１Ｓの床の位置に合わせて、この床の一部を模った第３副表示体３３が、遠近感に合わせて、その一端部３３Ｐが他端部３３Ｑより後方となるように全体的に斜めに配置されている。
第３副表示体３３の上方には、第４副表示体３４と主表示物３５が配置されている。このように遠近感に合わせて斜めに配置された第３副表示体３３上方に主表示物３５を配置することにより、前記第１参考形態および第２参考形態のように水平な基台上に主表示物を配する場合と比較して、前方への立体的な広がりを演出することができる。また、フォトモニュメント３０は、薄型の衝立状に一体化された第１副表示体３１、第２副表示体３２、第３副表示体３３により自立することが可能であり、このように第３副表示体３３を斜めに配置する構成とすることにより、自立の安定性を高めることができる。
また、このように第２副表示体３２を湾曲加工や折り曲げ加工することにより、自然光などのフォトモニュメント３０の周囲の光により、フォトモニュメント３０内に影が生み出され、立体感を高めることができる。
さらに、本実施形態のフォトモニュメント３０は、第２副表示体３２の一部に、その前方から後方の第１副表示体３１を透過自在とする透過部３２Ｍが形成され、透過部３２Ｍ周縁に折り曲げ加工された扉部分３２Ａ、３２Ｂが配置され、透過部３２Ｍの前方に主表示物３５が配置されてる構成とすることにより、第１副表示体３１と第２副表示体３２と主表示物３５とによる奥行きを生み出し、遠近感をさらに向上させることができる。
【００４０】
第２副表示体３２はその裏面に設けられた取付手段３６ｂ、３６ｄにより、第１副表示体３１に取り付けられている。第３副表示体３３はその裏面に設けられた取付手段３６ａ、３６ｅにより第１副表示体３１に取り付けられている。主表示物３５はその裏面に設けられた取付手段３６ｃにより第１副表示体３１に取り付けられている。第４副表示体３４は、接着剤などにより第３副表示体３３の上面に固着されている。取付手段３６ａ、３６ｂ、３６ｃ、３６ｄ、３６ｅによる取り付けは、第１副表示体３１、第２副表示体３２、第３副表示体３３及び主表示物３５を一体化するように設置することができれば、夫々、固定されていても、着脱可能とされていてもよく、従来公知の取付方法を適用することができる。取付手段３６ａとしては、例えば、樹脂製などのチューブ状物または柱状物を第１副表示体３１の表面に設け、第２副表示体３２の裏面に設けた凹部に嵌入させて設置する凹凸嵌合や、樹脂製などのチューブ状物または柱状物を第２副表示体３２の裏面に設け、第１副表示体３１の表面に設けた凹部に嵌入させて設置する凹凸嵌合や、樹脂製などのチューブ状物または柱状物を第１副表示体３１の表面と第２副表示体３２の裏面を連通するようにその端部で接着または固着する等の方法が挙げられる。取付手段３６ｂ〜３６ｅについても同様である。
【００４１】
図７〜図９に示す例では、第４副表示体３４は第３副表示体３３の上面に接着または固着されているが、第２副表示体３２、第３副表示体３３のように、取付手段により設置されていてもよい。また、主表示物３５は第１副表示体３１ではなく、第３副表示体３３の上面に取り付けられていてもよい。この場合、主表示物３５を第３副表示体３３の上面に取り付けるための取付手段は特に限定されず、従来公知の方法を適用することができる。
本実施形態のフォトモニュメント３０において、第１副表示体３１、第２副表示体３２、第３副表示体３３、第４副表示体３４および主表示物３５は、これら全てが着脱可能または着脱不可能に取り付けられていてもよく、その一部のみが着脱可能に取り付けられていてもよい。例えば、副表示物である第１副表示体３１、第２副表示体３２、第３副表示体３３、第４副表示体３４は着脱不可能に固定し、主表示物３５のみを着脱可能に設けるならば、背景部分となる副表示物の部分は予め複数個生産しておき、主体となる主表示物３５は所望の人物等の写真より個々に形成して、予め一体化された副表示物に取り付けることで、背景は同じであるが主体写真が異なるフォトモニュメントを複数個提供することができる。また、フォトモニュメント３０の構成要素の一部又は全部を着脱可能とすることにより、背景部分と主体写真の組み合わせを変更したり、他の写真より形成された主表示物および／または副表示物に変更してバリエーションを楽しむことができる。
【００４２】
図７〜図９に示す例では、第１副表示体３１に第２副表示体３２および第３副表示体３３が取り付けられているが、本実施形態はこれに限定されない。例えば、前記第１参考形態および第２参考形態のように、第１副表示体３１、第２副表示体３２、第３副表示体３３の下方に平板状の基台を配し、この基台の上面に、第１副表示体３１、第２副表示体、第３副表示体３３を配置してもよい。この場合、基台への第１〜第３副表示体３１〜３３の取り付け方法は特に限定されず、前記第１参考形態と同様の手法など、従来公知の方法を適用できる。
【００４３】
本実施形態のフォトモニュメント３０は、さらに、照明手段を有する構成とすることも好ましい。照明手段としては、光を射出することができるものであれば特に限定されず、前記第１参考形態と同様のものを用いることができる。
図１０は、上述のフォトモニュメント３０が照明手段３７を有する場合の一例を示す斜視図である。図１０に示すフォトモニュメント３０Ｂは、その側方に照明手段３７を備える。図１０に示す例において、照明手段３７は、支柱３７ａに複数個のＬＥＤ（Light Emitting Diode：発光ダイオード）３７ｂが並置されて構成され、図示略の外部電源に接続されている。
【００４４】
図１０に示すフォトモニュメント３０Ｂは、照明手段３７を備えることにより、前記第１参考形態および第２参考形態と同様に、主表示物３５、第１副表示体３１、第２副表示体３２、第３副表示体３３、第４副表示体３４を構成する主板材３５Ｔ、副板材３１Ｔ〜３４Ｔにて照明手段３７から照射された光が散乱し、主表示物３５、副表示体３１〜３４の輪郭を光らせてよりインテリア性を高めることができる。また、本実施形態のフォトモニュメント３０Ｂにおいては、第２副表示体３２が湾曲加工され、第２表示体の一端部３２Ｐよりも他端部３２Ｑが前方に位置するように設置されていることにより、図１０に示す如く、第２副表示体３２の他端部３２Ｑの後方に影を生じさせて、光と影のコントラストを生み出し、より立体感とインテリア性を向上させることができる。さらに、第２副表示体３２はその扉部分３２Ａ、３２Ｂが遠近感に合わせて後方（第１副表示体３１側）に折り曲げ加工されていることにより、扉部分３２Ａ、３２Ｂ近傍にも影が生じ、より立体感が演出される。また、主表示物３５、第１副表示体３１、第３副表示体３３、第４副表示体３４についても同様に、照明手段３７により光が照射されることにより、図１０に示すような影が生じ、この光と影のコントラストにより、立体感とインテリア性を高めることができる。
【００４５】
本実施形態のフォトモニュメント３０Ｂにおいて、照明手段３７の設置位置は特に限定されず、フォトモニュメント３０Ｂの構成要素の少なくともいずれかに光を照射することができる位置であれば特に限定されない。図１０に示す例では、照明手段３７が第１副表示体３１及び第２副表示体３２の側方（第２副表示体３２の一端部３２Ｐ側）に配置されているが、このような構成のフォトモニュメント３０Ｂにおいては、照明手段３７は自重により自立しており、自由に設置位置を変更可能であるため、照明手段３７の設置位置を移動させて所望の位置からフォトモニュメント３０Ｂの構成要素に光を照射することにより、主表示物３５、副表示体３１〜３４の光り方や、影の生じ方を変化させて、フォトモニュメント３０Ｂの立体感や見え方を自由に変化させて楽しむことができる。また、照明手段３７は、例えば、第１〜第４副表示体３１〜３４の周縁近傍（上方、側方、下方）や裏面、前後に離間して設けられた第１〜第４副表示体３１〜３４の間隙、主表示物３５の下方などに設けることもできる。
本実施形態のフォトモニュメント３０、３０Ｂは、前記第１参考形態および第２参考形態のように基台を有し、この基台上に主表示物３５および第１〜第４副表示体３１〜３４とされていてもよく、この場合、基台の下部または周縁近傍に照明手段３７が配されていても良い。なお、照明手段３７は１つに限定されず、２つ以上備えていてもよい。
【００４６】
本実施形態のフォトモニュメント３０、３０Ｂは、光透過性を有する主板材３５Ｔと主体写真３５Ｓを一体化した主表示物３５の後方に離間して、光透過性を有する板材副と背景写真を一体化した副表示物（副表示体３１〜３４）を設け、かつ、主表示物３５が主体写真３５Ｓの被写体の輪郭形状に合わせて縁取り加工される構成としたことにより、立体感を演出することができる。また、従来の写真では平面的な表現に留まり、主となる被写体と重なる部分の背景を望むことができない問題があったが、本実施形態のフォトモニュメント３０、３０Ｂによれば、主表示物３５の後方に位置する副表示物全体を望むことが可能となる。
【００４７】
本実施形態のフォトモニュメント３０、３０Ｂは、背景写真３１Ｓ全体が第１の副板材３１Ｔに一体化された第１副表示体３１の前方に、この背景写真３１Ｓと同じ写真の一部を模った第２副表示体３２を、背景写真の被写体の位置に合わせて設置される構成とすることにより、背景写真に奥行きを与え、立体感をさらに高めることができる。
また、本実施形態のフォトモニュメント３０、３０Ｂは、第２副表示体３２が、湾曲加工および折り曲げ加工される構成とすることにより、立体感およびインテリア性をより向上させることができる。さらに、本実施形態のフォトモニュメント３０Ｂは、照明手段３７を備える構成とすることにより、主表示物３５及び副表示体３１〜３４の輪郭を光らせて立体感やインテリア性を高める効果に加え、光と影のコントラストにより、さらに鑑賞性を高めることができる。
さらに、本実施形態のフォトモニュメント３０、３０Ｂは、第２副表示体３２の一部に、その前方から後方の第１副表示体３１を透過自在とする透過部３２Ｍが形成され、透過部３２Ｍ周縁に折り曲げ加工された扉部分３２Ａ、３２Ｂが配置され、透過部３２Ｍの前方に主表示物３５が配置されてる構成とすることにより、第１副表示体３１と第２副表示体３２と主表示物３５とによる奥行きを生み出し、遠近感をさらに向上させることができる。
【００４８】
本考案のフォトモニュメントは、上記第１実施形態に限定されず、種々の変更を加えることも可能である。
例えば、上述した第１実施形態では、副表示物の数は４であったが、本考案はこれに限定されず、副表示物の数が２または３であってもよく、５以上であってよい。
また、上述した本考案に係る第１実施形態のフォトモニュメント３０においては、第２副表示体３２に湾曲加工と折り曲げ加工が施されていたが、本考案はこれに限定されない。第２副表示体３２に湾曲加工または折り曲げ加工のどちらか一方が施されていてもよく、第２副表示体３２には湾曲加工や折り曲げ加工を施さず、第３副表示体３３および／または第４副表示体３４にこれらの加工を施していてもよい。また、上述したフォトモニュメント３０においては、第１副表示体３１は平板形状であったが、本考案はこれに限定されず、前記第１参考形態および第２参考形態の副表示物や背景パネルと同様に、第１副表示体３１に縁取り加工や切削加工されていてもよい。
【００４９】
上述した本考案に係る第１実施形態のフォトモニュメント３０においては、第４副表示体３４は、背景写真３１Ｓの一部ではなく、所望の写真３４Ｓを模った構成としたが、本考案はこれに限定されず、背景写真３１Ｓの一部の被写体形状を模って第４副表示体３４としてもよい。また、フォトモニュメント３０は、展示中の汚れ防止や、外観を向上させるために、内部を望めるケース等に収容される構成としてもよい。また、フォトモニュメント３０は、第１副表示体３１の裏面に取付手段を設ける手法などにより、壁掛け展示が可能であってもよい。
また、図１０に示すフォトモニュメント３０Ｂにおいて、照明手段３７は、主表示物３５及び副表示体３１〜３４とは離れた位置に設置されているが、本考案はこれに限定されず、照明手段３７が、主表示物３５及び副表示体３１〜３４の少なくともいずれかと一体化されていてもよい。
【００５０】
（第２実施形態）
図１１は本考案の第２実施形態に係るフォトモニュメントの一例を示す斜視図であり、図１２は図１１に示すフォトモニュメントの一部の分解斜視図である。
図１１および図１２に示す本実施形態のフォトモニュメント４０は、第１副表示体４１と、第１副表示体４１の前方に設けられた第２副表示体４２、第３副表示体４３、第４副表示体４４および第５副表示体４５と、これら第２〜第５副表示体４２〜４５の前方に設けられた主表示物４６と、第１副表示体４１の後方に配された照明手段４７とより構成されている。
【００５１】
主表示物４６は、光透過性を有する主板材４６Ｔの表面と裏面の少なくとも一方（図１１及び図１２に示す例では表面）に主体となる被写体（図１１及び図１２に示す例では、結婚式を挙行する洋装の女性）の輪郭形状に合わせて切り抜かれた主体写真４６Ｓが一体化されている。本実施形態のフォトモニュメント４０においては、前記した第１参考形態、第２参考形態、および、第１実施形態のフォトモニュメントとは異なり、主表示物４６を構成する主板材４６Ｔは、一体化された主体写真４６Ｓの輪郭形状に縁取り加工されていない。主表示物４６を構成する主板材４６Ｔの材質や、主板材４６Ｔと主体写真４６Ｓとを一体化する方法は、上記参考形態および上記実施形態と同様である。
【００５２】
フォトモニュメント４０は、副表示物として、第１副表示体４１、第２副表示体４２、第３副表示体４３、第４副表示体４４、第５副表示体４５を備える。第１副表示体４１は、前記第１実施形態の第１副表示体３１と同様に、光透過性を有する平板状の第１の副板材４１Ｔの表面と裏面の少なくとも一方（図１１及び図１２に示す例では表面）に、背景写真４１Ｓ全体（教会内部の景色）が一体化されて構成されている。
【００５３】
第２副表示体４２は、光透過性を有する第２の副板材４２Ｔの表面と裏面の少なくとも一方（図１１及び図１２に示す例では表面）に、第１副表示体４１に一体化された背景写真４１Ｓと同じ写真の一部である写真４２Ｓ（図１１及び図１２に示す例では、天井）が一体化され、写真４２Ｓの輪郭形状に合わせて第２の副板材４２Ｔが縁取り加工されている。
第２副表示体４２は、第１副表示体４１の前方に、第１副表示体４１に一体化された背景写真４１Ｓと被写体の位置を合わせて配置されており、図１１及び図１２に示す例では、第１副表示体４１に一体化された背景写真４１Ｓの天井の位置の前方に、この天井を模った第２副表示体４２が位置するように配置されている。このように第２副表示体４２を、第１副表示体４１の前方に背景写真４１Ｓの被写体の位置に合わせて配置することにより、第２副表示体４２に一体化された写真４２Ｓに立体感を与えることができる。
また、第２副表示体４２は、その上端部４２Ｑが下端部４２Ｐよりも前方に位置するように斜めに配置されている。このように第２副表示体４２を、背景写真４１Ｓの遠近感に合わせて斜めに配置することにより、第２副表示体４２に一体化された写真４２Ｓにより奥行きと立体感を与えることができる。
【００５４】
第３副表示体４３、第４副表示体４４、第５副表示体４５は、第２副表示体４２と同様に、光透過性を有する第３〜第５の副板材４３Ｔ〜４５Ｔに、それぞれ、第１副表示体４１に一体化された背景写真４１Ｓと同じ写真の一部である写真４３Ｓ〜４５Ｓが一体化され、写真４３Ｓ〜４５Ｓの輪郭形状に合わせて第３〜第５の副板材４３Ｔ〜４５Ｔが縁取り加工されている。第３副表示体４３および第５副表示体４５は、教会の挙式参列者席（座席）を模ったもの、第４副表示体４４は教会のバージンロード（祭壇への通路）を模ったものである。
第３〜第５副表示体４３〜４５は、第１副表示体４１の前方に、第１副表示体４１に一体化された背景写真４１Ｓと被写体の位置を合わせて隣接配置されており、図１１及び図１２に示す例では、第１副表示体４１に一体化された背景写真４１Ｓのバージンロードの位置の前方に、このバージンロードを模った第４副表示体４４が配置され、第１副表示体４１に一体化された背景写真４１Ｓの座席の位置の前方に、この座席を模った第３副表示体４３および第５副表示体４５が配置されている。このように第３〜第５副表示体４３〜４５を、第１副表示体４１の前方に背景写真４１Ｓの被写体の位置に合わせて配置することにより、背景に立体感を与えることができる。
【００５５】
第４副表示体４４は、その下端部４４Ｐが上端部４４Ｑよりも前方に位置するように斜めに配置されている。このように第４副表示体４４を、背景写真４１Ｓの遠近感に合わせて斜めに配置することにより、第４副表示体４４に一体化された写真４４Ｓにより奥行きと立体感を与えることができる。
第５副表示体４５は、その上端部４５Ｑが下端部４５Ｐよりも前方に位置するように斜めに配置されている。また、第３副表示体４３も第５副表示体４５と同様に、その上端部が下端部よりも前方に位置するように斜めに配置されている。このように第３副表示体４３および第５副表示体４５を斜めに配置することにより、第３副表示体４３および第５副表示体４５に一体化された写真４３Ｓおよび４５Ｓにより奥行きと立体感を与えることができる。
【００５６】
第１副表示体４１、第２副表示体４２、第３副表示体４３、第４副表示体４４、第５副表示体４５を構成する第１〜第５の副板材４１Ｔ、４２Ｔ、４３Ｔ、４４Ｔ、４５Ｔの材質は、前記第１参考形態の主板材２Ｔおよび副板材３Ｔの場合と同様であり、第１〜第５の副板材４１Ｔ、４２Ｔ、４３Ｔ、４４Ｔ、４５Ｔへ夫々、背景写真４１Ｓ、写真４２Ｓ、写真４３Ｓ、写真４４Ｓ、写真４５Ｓを一体化する方法についても、前記第１参考形態の主表示物２の場合と同様である。
【００５７】
図１１に示す例では、照明手段４７は少なくとも第１副表示体４１側へ光を射出可能な構造の箱型ケース内にＬＥＤなどの発光手段が配されて構成されている。照明手段４７としては、前記第１参考形態と同様のものを使用することができる。また、照明手段４７の設置位置も前記参考形態および前記実施形態と同様に自由に変更可能である。また、照明手段４７の個数や形状、設置方法も適宜変更可能である。このように照明手段４７を備える構成とすることにより、前記第１参考形態、第２参考形態、および、第１実施形態と同様に、フォトモニュメント４０の立体感やインテリア性を高めることができる。なお、照明手段４７は省略することもできる。
【００５８】
第２副表示体４２、第３副表示体４３、第４副表示体４４、第５副表示体４５の第１副表示体４５への取り付け方法は特に限定されず、前記第１実施形態で挙げた取り付け方法と同様である。
主表示物４６を副表示物（副表示体４１〜４５）と一体化するための取り付け方法は特に限定されず、例えば、図１１に示す如く、樹脂製やガラス製などの透明な壁部４８を、第１〜第５副表示体４１〜４５の周囲を囲んで設け、この壁部４８により形成された空間を塞ぐように主表示物４６を配することができる。また、主表示物４６と壁部４８とを一体化して箱蓋状物とし、照明手段４７前方の第１〜第５副表示体４１〜４５を覆うようにこの箱蓋状物を配置することにより主表示物４６を設置してもよく、壁部４８を設けずに、前記第１実施形態で挙げた取付手段３６ａ〜３６ｅと同様の構成の取付手段により設置してもよい。
【００５９】
本実施形態のフォトモニュメント４０は、前記第１実施形態と同様に、第１〜第５副表示体４１〜４５および主表示物４６は、これら全てが着脱可能または着脱不可能に取り付けられていてもよく、その一部のみが着脱可能に取り付けられていてもよい。例えば、副表示物である第１〜第５副表示体４１〜４５は着脱不可能に固定し、主表示物４６のみを着脱可能に設けるならば、背景部分となる副表示物の部分は予め複数個生産しておき、主体となる主表示物４６は所望の人物等の写真より個々に形成して、予め一体化された副表示物に取り付けることで、背景は同じであるが主体写真が異なるフォトモニュメントを複数個提供することができる。また、フォトモニュメント４０の構成要素の一部又は全部を着脱可能とすることにより、背景部分と主体写真の組み合わせを楽しむことができる。
【００６０】
本実施形態のフォトモニュメント４０は、前後方向に厚みを有し、自重で自立可能であるが、照明手段４７の裏面に取付手段を設ける手法などにより、壁掛け展示が可能であってもよい。
【００６１】
本実施形態のフォトモニュメント４０は、前記第１参考形態、第２参考形態、および、第１実施形態のフォトモニュメントと同様に、写真を立体的に鑑賞でき、且つ主体写真の背景部分も望むことができる。
【００６２】
本考案のフォトモニュメントは、上記第２実施形態に限定されず、種々の変更を加えることも可能である。
例えば、上述した第２実施形態では、副表示物の数は５であったが、本考案はこれに限定されず、副表示物の数が２〜４であってもよく、６以上であってよい。
また、第２実施形態のフォトモニュメント４０において、前記した第１実施形態の第２副表示体３２と同様に、副表示物の少なくともいずれかに湾曲加工および／または折り曲げ加工が施されていてもよい。また、上述したフォトモニュメント４０においては、第１副表示体４１は平板形状であったが、本考案はこれに限定されず、前記第１参考形態および第２参考形態の副表示物や背景パネルと同様に、第１副表示体４１に縁取り加工や切削加工されていてもよい。また、同様に、主表示物４６に切削加工が施されていてもよい。
さらに、前記第１参考形態および第２参考形態のように、第１〜第５副表示体４１〜４５の下方に平板状の基台を配し、この基台の上面に、第１〜第５副表示体４１〜４５を配置してもよい。
【００６３】
（第３実施形態）
図１３は本考案の第３実施形態に係るフォトモニュメントの一例を示す斜視図であり、図１４（ａ）は図１３に示すフォトモニュメントの側面図である。
本実施形態のフォトモニュメント５０は、第１副表示体５１、第１副表示体５１の前方に設けられた第２副表示体５２、および第２副表示体５２の前方に設けられた主表示物５３より構成されている。
【００６４】
主表示物４５は、前記第１および第２参考形態、並びに、第１および第２実施形態の主表示物と同様の構成であり、光透過性を有する主板材５３Ｔの表面と裏面の少なくとも一方（図１３に示す例では表面）に主体写真５３Ｓ（図１３に示す例では、結婚式を挙行している和装の男女等）が一体化されており、主体写真５３Ｓの輪郭形状に合わせて縁取り加工されている。
【００６５】
図１３に示す例では、フォトモニュメント５０は、副表示物として、第１副表示体５１、第２副表示体５２を備える。第１副表示体５１は、前記第１実施形態および第２実施形態の第１副表示体３１および４１と同様に、光透過性を有する平板状の第１の副板材５１Ｔの表面と裏面の少なくとも一方（図１３に示す例では表面）に、背景写真５１Ｓ全体（神社の境内）が一体化されて構成されている。
【００６６】
第２副表示体５２は、前記第１実施形態および第２実施形態の副表示体と同様に、光透過性を有する第２の副板材５２Ｔの表面と裏面の少なくとも一方（図１３に示す例では表面）に、第１副表示体５１に一体化された背景写真５１Ｓと同じ写真の一部である写真５２Ｓ（図１３に示す例では、神社の境内の建物と庭）が一体化され、写真５２Ｓの輪郭形状に合わせて第２の副板材５２Ｔが縁取り加工されている。
第２副表示体５２は、第１副表示体５１の前方に、第１副表示体５１に一体化された背景写真５１Ｓと被写体の位置を合わせて配置されており、図１３に示す例では、第１副表示体５１に一体化された背景写真５１Ｓの建物と庭の位置の前方に、この建物と庭を模った第２副表示体５２が位置するように配置されている。
【００６７】
第２副表示体５２の一部には、その前方から後方の第１副表示体５１を透過することができる透過部５２Ｍａ、５２Ｍｂ、５２Ｍｃ、５２Ｍｄが形成されている。図１３に示す例では、透過部５２Ｍａ、５２Ｍｂ、５２Ｍｃは、写真５２Ｓのうち建物の天井部と柱により形成された空間の形状に倣って第２の副板材５２Ｔが切り抜き加工（縁取り加工）されており、透過部５２Ｍｄは写真５２Ｓの建物の屋根の形状に合わせて縁取り加工されている。
このように第２副表示体５２を、第１副表示体５１の前方に背景写真５１Ｓの被写体の位置に合わせて配置することにより、透過部５２Ｍａ、５２Ｍｂ、５２Ｍｃ、５２ｄを介して背景写真５１Ｓと写真５２Ｓに共通の被写体が２重になって見える（図１３に示す例では、建物が２重になって見える）ことにより、背景に奥行きを持たせ、立体感を与えることができる。
【００６８】
図１４（ａ）に示す如く、第２副表示体５２は取付手段５４ａ、５４ｂにより第１副表示体５１に取り付けられ、主表示物５３は取り付け手段５４ｃ、５４ｄにより第２副表示体５２に取り付けられている。取付手段５４ａ〜５４ｄとしては、前記第１実施形態と同様とすることができる。
【００６９】
図１４（ｂ）に、図１３に示すフォトモニュメント５０の変形例として、第２副表示体５２を折り曲げ加工および湾曲加工したフォトモニュメント５０Ｂを示す。図１４（ｂ）に示すフォトモニュメント５０Ｂは、第２副表示体５２が折曲点５２Ｒ（図１４（ｂ）に示す例では、写真５２Ｓの建物と庭との境目となる部分）が第１副表示体５１側となるように折り曲げ加工されている。また、第２副表示体５２の上端部５２Ｐが折曲点５２Ｒよりも前方に位置し、且つ主表示物５３側へと膨出するように、第２副表示体５２の屈曲点５２Ｒから上端部５２Ｐまで湾曲加工されている。さらに、第２副表示体５２の下端部５２Ｑは折曲点５２Ｒよりも前方に位置し、第２副表示体５２の屈曲点５２Ｒから下端部５２Ｑまでが斜めに配されている。図１４（ｂ）に示すフォトモニュメント５０Ｂは、第２副表示体５２と第１副表示体５１とが、屈曲点５２Ｒの裏面において接合部５４ｅで接着または固着されている。
【００７０】
主表示物５３は、第２副表示体５２の屈曲点５２Ｒから下端部５２Ｑまでの部分の上方に配置されている。主表示物５３の下面と、第２副表示体５２の屈曲点５２Ｒから下端部５２Ｑまでの部分の上面の一部とは、接着又は固着等の方法により固定されている。
このように、第２副表示体５２に一体化された写真５２Ｓの庭部分の下端部５２Ｑを前方に配置させて、斜めとなった庭部分の上方に主表示物５３を配置する構成とすることにより、より立体感を高めることができ、主となる被写体が実際に神社の境内の庭を歩いているかの如く見える。また、この様に第２副表示体５２の下端部５２Ｑを前方に配置する構成とすることにより、第１副表示体５１と第２副表示体５２と主表示物５３とが衝立状に一体化されたフォトモニュメント５０Ｂを自重により自立させる場合の安定性を向上させることができる。なお、本実施形態のフォトモニュメント５０、５０Ｂは自重で自立可能であるが、第１副表示体５１の裏面に取付手段を設ける手法などにより、壁掛け展示が可能であってもよい。また、第１副表示体５１への第２副表示体５２の取付方法、及び第２副表示体５２への主表示物５１の取付方法は、特に限定されず、従来公知の方法を適用することができる。さらに、本実施形態のフォトモニュメント５０、５０Ｂは、前記第１および第２参考形態、並びに、第１および第２実施形態と同様に、照明手段を備えていてもよい。
【００７１】
本実施形態のフォトモニュメント５０、５０Ｂは、前記第１および第２参考形態、並びに、第１および第２実施形態のフォトモニュメントと同様に、写真を立体的に鑑賞でき、且つ主体写真の背景部分も望むことができる。
また、本実施形態のフォトモニュメント５０、５０Ｂは、第２副表示体５２の一部に、その前方から後方の第１副表示体５１を透過自在とする透過部５２Ｍａ〜５２Ｍｄが形成され、透過部５２Ｍａ〜５２Ｍｄの前方に主表示物５３が配置されてる構成とすることにより、第１副表示体５１と第２副表示体５２と主表示物５３とによる奥行きを生み出し、遠近感をさらに向上させることができる。
【００７２】
本考案のフォトモニュメントは、上記第３実施形態に限定されず、種々の変更を加えることも可能である。
例えば、上述した第３実施形態では、副表示物の数は２であったが、本考案はこれに限定されず、副表示物の数が３以上であってよい。
また、第３実施形態のフォトモニュメント５０、５０Ｂにおいて、前記した第１実施形態の第２副表示体３２と同様に、副表示物の少なくともいずれかに湾曲加工および／または折り曲げ加工が施されていてもよい。また、上述したフォトモニュメント５０においては、第１副表示体５１は平板形状であったが、本考案はこれに限定されず、前記第１参考形態および第２参考形態の副表示物や背景パネルと同様に、第１副表示体５１が縁取り加工や切削加工されていてもよい。
さらに、前記第１参考形態および第２参考形態のように、第１副表示体５１、第２副表示体５２および主表示物５３の下方に平板状の基台を配し、この基台の上面に、第１副表示体５１、第２副表示体５２および主表示物５３を配置してもよい。また、フォトモニュメント５０、５０Ｂは、展示中の汚れ防止や、外観を向上させるために、内部を望めるケース等に収容される構成としてもよい。
【００７３】
以上、本考案に係る第１〜第３実施形態のフォトモニュメントについて説明したが、本考案はこれらの実施形態に限定されず、種々の変更を加えることも可能である。
例えば、主表示物、副表示物、副表示体およびパネル部材を構成する光透過性を有する主板材および副板材を、主体写真の被写体及び背景の輪郭に合わせて加工する際に、照明手段から照射される光の散乱をコントロールするように、主板材及び副板材の表面、側面、裏面などに切削加工や凹凸加工を施してもよい。さらに、上記実施形態においては、主表示物が、主板材の表面または裏面に主体写真が一体化された例を示したが、本考案はこれに限定されず、例えば、主板材の表面と裏面の両面に主体写真が一体化されていてもよく、主板材の表面と裏面とに一体化される主体写真を別写真としてもよく（例えば、主体写真の表側からの写真と裏側（背中側）の写真など）、２枚の主板材の間に主体写真が挟まれた構造とすることも可能であり、副表示物、副表示体およびパネル部材についても同様である。
上記実施形態では、主板材及び副板材としては、光透過性を有する材料を挙げたが、これらの材料に加えて、さらに、紙、ファイバー、ゴム、金属、石、布などの素材を組み合わせることも可能である。さらに、照明手段は、心理的安らぎや癒しを与えられるように、周期的に色や強度が変化する構成としてもよい。
【符号の説明】
【００７４】
１０、２０、３０、３０Ｂ、４０、５０、５０Ｂ…フォトモニュメント、１、１ａ…基台、２、２ａ、２ｂ、３５、４６、５３…主表示物、２Ｔ…主板材、３Ｔ…副板材、２Ｓａ、２Ｓｂ、２Ｓｃ、３５Ｓ、４６Ｓ、５３Ｓ…主体写真、３、３ａ、３ｂ…副表示物、４、４ａ、４ｂ、４ｃ、４ｄ、４ｅ、４ｆ、４ｇ、４ｐ、４ｑ、４ｒ、４ｓ…凹部（取付手段）、５…凸部（取付手段）、６、６ａ、６ｂ、３７、４７…照明手段、３１、４１、５１…第１副表示体（副表示物）、３２、４２、５２…第２副表示体（副表示物）、３３、４３…第３副表示体（副表示物）、３４、４４…第４副表示体（副表示物）、４５…第５副表示体（副表示物）、３１Ｔ、４１Ｔ、５１Ｔ…第１の副板材、３２Ｔ、４２Ｔ、５２Ｔ…第２の副板材、３３Ｔ、４３Ｔ…第３の副板材、３４Ｔ、４４Ｔ…第４の副板材、４５Ｔ…第５の副板材、３２Ｍ、５２Ｍａ、５２Ｍｂ、５２Ｍｃ、５２Ｍｄ…透過部、３Ｓ、３Ｓａ、３Ｓｂ、３１Ｓ、４１Ｓ、５１Ｓ…背景写真、３２Ｓ、３３Ｓ、３４Ｓ、４２Ｓ、４３Ｓ、４４Ｓ、４５Ｓ、５２Ｓ…写真、３６ａ、３６ｂ、３６ｃ、３６ｄ、３６ｅ…取付手段
【図１】
0003169352.tif 000003
【図２】
0003169352.tif 000004
【図３】
0003169352.tif 000005
【図４】
0003169352.tif 000006
【図５】
0003169352.tif 000007
【図６】
0003169352.tif 000008
【図７】
0003169352.tif 000009
【図８】
0003169352.tif 000010
【図９】
0003169352.tif 000011
【図１０】
0003169352.tif 000012
【図１１】
0003169352.tif 000013
【図１２】
0003169352.tif 000014
【図１３】
0003169352.tif 000015
【図１４】
0003169352.tif 000016